(57)【特許請求の範囲】
【請求項１】
前身頃と後身頃の上部には頭部を通すための第一の開口部、両袖には腕部を通すための第二、第三の開口部を有し、該前身頃は、着用者の両足元を包み込むことができるように、第一の開口部から前身頃中心部分の裾までの長さが、第一の開口部に相当する位置から脇部分の裾までの長さより長くなっており、脇部分で該後身頃に接合され、該前身頃の裾と該後身頃の裾とで第四の開口部を形成し、該第四の開口部の周囲には弾性素材を挿入もしくは縫い付けてあることを特徴とする車椅子用雨衣。
【請求項２】
該第四の開口部の周囲にその周長の５０〜１００％に弾性素材を挿入もしくは縫い付けてあることを特徴とする請求項１記載の車椅子用雨衣。
【請求項３】
該第四の開口部の周長の５０〜１００％に弾性素材を挿入もしくは縫い付けてあることを特徴とする車椅子用雨衣。
【請求項４】
後身頃中心部で切り開いた時、前身頃中心部の裾が凸型を形成していることを特徴とする請求項１または２記載の車椅子用雨衣。
【請求項５】
該後身頃に直径１〜３cmの孔を有することを特徴とする請求項１〜４いずれかに記載の車椅子用雨衣。
【請求項６】
該後身頃の孔の周辺から２０〜４０cmの長さの紐を有することを特徴とする請求項５記載の車椅子用雨衣。
【請求項７】
介護衣料に用いることを特徴とする請求項１〜６いずれかに記載の車椅子用雨衣。
【発明の詳細な説明】
【０００１】
【発明の属する技術分野】
本発明は着脱性、着用快適性に優れた車椅子用雨衣に関する。
【０００２】
【従来の技術】
従来の雨衣の大半が立位姿勢の着用状態を基本に、機能性の面では着用時の着心地の良さ、動き易さなどに主眼を置き衣服設計されている。また、審美性の面でもやはり立位状態での見た目の美しさなどを中心にパターンメイク及び製造がなされているのが現状である。したがって、雨の中、車椅子で移動しなければいけない状況下では、従来の雨衣では身体全体を覆うことはできなかった。また、ポンチョ式のように頭からすっぽりかぶり裾を開放する型では風雨により、雨衣が乱れて身体が濡れることも多かった。
【０００３】
【発明が解決しようとする課題】
本発明の目的は、降雨時、車椅子で移動する時の雨衣に着座状態での着易さ、着せ易さ、また、脱ぎ易さ、脱がせ易さ、動きやすさを付与し、かつ着用時の着衣の乱れを防ぎ防水性、審美性を兼ね備えた雨衣を提供することにある。
【０００４】
これまでも同じような目的で、実用新案第３００３６４７号に登録されているポンチョ型車椅子用レインコートが記載されているが、該形態では易着脱性には効果はあるものの、車椅子との固定や、着用時の着衣の乱れや防水性を解決することはできなかった。
【０００５】
【課題を解決するための手段】
本発明の衣服の一態様は、前身頃と後身頃の上部には頭部を通すための第一の開口部、両袖には腕部を通すための第二、第三の開口部を有し、該前身頃は、着用者の両足元を包み込むことができるように、第一の開口部から前身頃中心部分の裾までの長さが、第一の開口部に相当する位置から脇部分の裾までの長さより長くなっており、脇部分で該後身頃に接合され、該前身頃の裾と該後身頃の裾とで第四の開口部を形成し、該第四の開口部の周囲には弾性素材を挿入もしくは縫い付けてあることを特徴とすることを特徴とする車椅子用雨衣である。
【０００６】
【発明の実施の形態】
本発明の車椅子用雨衣について、一態様を示す図面を参照しつつ詳細に説明する。
【０００７】
図１は、本発明の雨衣を車椅子使用者が着用した状態の一態様を示す側面図、図２は、本発明の衣服の一態様を示す前面図、図３は後面図、図４はセットインスリーブにおける後身頃中心部で切り開いた図である。
【０００８】
なお、図中、点線で描写している部分は雨衣で隠れている部分を示す。
【０００９】
着用方法は、まず両腕部を雨衣の両袖（４）に有する第二（６）、第三（７）の開口部に通し、上部に設けられた第一の開口部（５）に頭部を入れる。次に後身頃（２）を車椅子の持ち手（押し手）に引っかけ、前身頃（１）を身体の前面から膝を通り足先およびフットプレート全体に広げながら着用する。このとき、タイヤ（１７）には雨衣がかぶらないように注意する。
【００１０】
本発明における車椅子用雨衣は、第一の開口部から前身頃中心部分の裾までの長さ（９）が、第一の開口部に相当する位置から脇部分の裾までの長さ（１０）より長くなっている。このように寸法差を設けることにより、その差寸分が足先およびフットプレートを包み込むことが可能になる。寸法差の設け方は図４に示すような前身頃から連続した形でもよいし、また、寸法差分の別布を縫い合わせても同じ効果が得られる。さらに、曲線で脇部分（１１）と前身頃の裾（１２）を結んで差寸を設けても同じ効果が得ることができる。
【００１１】
また、本発明における第一の開口部は、防水性、易着脱性の点に考慮すると、正面（前）においてはだけることがない無端状の開口部が好ましい。また、デザインの一例として一部分が胸部近辺までの前あき部分を有してもよく、その場合はファスナーやボタンで開閉できるようにしておくことができる。
【００１２】
本発明における車椅子用雨衣は、第四の開口部（８）の周囲にその周長の５０〜１００％に弾性素材を挿入もしくは縫い付けて仕上げることが好ましい。弾性素材の挿入もしくは縫い付け部分が５０％より小さくなると雨衣の車椅子との固定が悪くなり、雨衣の裾がめくり上がり、身体が雨に濡れたり、雨衣の裾がタイヤにかぶったりして好ましくない。この場合の弾性素材は、５００ｇ荷重時に１４０〜２３０％の伸度を有し、回復率も９０％以上あるものが好ましい。
【００１３】
雨衣を着用し長時間降雨時に外出していると、車椅子の持ち手にかけられた後身頃のほぼ中央に雨水が溜まる。この状態で着用者が前屈みになったり方向転換すると、溜まった水が後方に飛散し、着用者自身、また、後方にいる介護者が濡れる状態を引き起こす。そこで、後身頃には直径１〜３cmの孔（１５）を開けることにより、後身頃に溜まる雨水を徐々に下方に排水することができる。該孔径が３cmを越えると雨水が雨衣内に浸入し、身体が濡れる可能性が高いし、美観も損なう。逆に孔径が１cmより小さいと雨水の排水効果が低いため好ましくない。さらに、該孔（１５）から２０〜４０cmの長さの紐（１６）を出すことにより、排水された雨水が紐を伝って静かに下方に流すことができる。該孔径から出ている紐が２０cmより短いと雨水が紐を伝っても飛散する可能性がある。逆に４０cmを越えると車椅子のタイヤ（１７）に巻き付く可能性があり危険性も高い。
【００１４】
本発明における雨衣の主素材としては、通常用いられる合成繊維もしくは天然繊維からなる布帛、または耐水性シートからなる雨衣用素材を用いることができるが、好ましくは、ポリエチレンテレフタレート、ポリプロピレンテレフタレート、ポリブチレンテレフタレートなどのポリエステル繊維、ナイロン６、ナイロン６６などのポリアミド繊維からなる布帛を用いる。さらに、こうした布帛にアクリルコーティングやウレタンコーティング、各種ラミネート、撥水加工などを施して防水性を向上させたものや、高密度に織布することにより防水性を向上させたような防水素材を用いることがより好ましい。
【００１５】
また、本発明における雨衣の防水効果向上のためには、雨衣の縫い目の裏側に防水テープを貼ることが有効である。
【００１６】
【実施例】
以下、本発明の衣服について実施例ならびに比較例をあげてさらに具体的に説明する。
【００１７】
実施例および比較例において用いた衣服の着脱性、着用感、防水性、水抜け性、審美性（外観）および安全性評価基準を表１に示す。
【００１８】
実施例１〜３
実施例において用いた雨衣の縫製方法は次のとおりである。
【００１９】
(1)前身頃と後身頃を肩線、脇線で縫い合わせる。
【００２０】
(2)前身頃と後身頃で形成したアームホール（袖付け）に左右の袖を縫い付ける。
【００２１】
(3)前身頃の裾と後身頃の裾とで形成した開口部の周囲にその周長の５０％、７０％、１００％に弾性素材を挿入もしくは縫着する。
【００２２】
(4)後身頃に１cm、２cm、３cmの孔を開け、その孔から２０cm、３０cm、４０cmの紐を出す。
【００２３】
このように縫製した車椅子用雨衣の着脱性、着用感、防水性、水抜け性、審美性（外観）、安全性の結果を表２に示す。
【００２４】
比較例１
連続した前身頃、後身頃のみで構成され、脇を縫い合わせ、裾を開放したポンチョ式雨衣を作製した。この評価結果を表２に併記した。
【００２５】
比較例２
前ファスナーで開閉出来る腰丈までの左右の前身頃と、この前身頃とほぼ同じ長さをもつ後身頃とを脇で縫い合わせて左右袖を縫い付けた上衣と、ズボン形態をもつ下衣で構成された二部式の雨衣を作製した。この評価結果を表２に併記した。
【００２６】
【表１】
0003972525.tif 000002
【００２７】
【表２】
0003972525.tif 000003
【００２８】
【発明の効果】
本発明における車椅子用雨衣は、車椅子の一部とその利用者全てを覆う型で、なおかつ、その後身頃に溜まる雨水の処理に工夫をこらしているので、防水性、易着脱性の向上等の効果がもたらされる。突然の降雨時にでも車椅子上で容易に着脱することができる。また、長時間着用していても雨水が浸入することはなく、安心して外出することができる。
【図面の簡単な説明】
【図１】本発明の雨衣を車椅子使用者が着用した状態の一態様を示す図である。
【図２】本発明に係る雨衣の一態様を示す正面図である。
【図３】本発明に係る雨衣の一態様を示す後面図である。
【図４】本発明に係る雨衣を後身頃部で切り開いた図である。
【符号の説明】
１：前身頃
２：後身頃
３：フード
４：袖
５：第一の開口部
６：第二の開口部
７：第三の開口部孔
８：第四の開口部紐
９：第一の開口部から前身頃中心部の裾までの長さ
１０：第一の開口部に相当する位置から脇裾までの長さ
１１：脇部分
１２：前身頃の裾
１３：後身頃の裾
１４：後身頃中心部
１５：孔
１６：紐
１７：車椅子のタイヤ
【図１】
0003972525.tif 000004
【図２】
0003972525.tif 000005
【図３】
0003972525.tif 000006
【図４】
0003972525.tif 000007